(57)【要約】【課題】囲い枠にフェンスバリケードを取り付ける場合は言うまでもなく、囲い枠からフェンスバリケードを撤去する際に取り外す場合にも、それらの作業が非常に簡単に行えるフェンスバリケードの取付金具を提供する。【解決手段】互いの縦枠１ａを突き合わせて並べるようにしたフェンスバリケード１を、囲い枠２の横枠２ａに取り付ける金具であって、前記囲い枠２の横枠２ａを跨ぐ把持部３ａを有すると共に、前記フェンスバリケード１の縦枠１ａに引っ掛けるようにした引掛部３ｂを前記把持部３ａの両端に連設し、さらに前記横枠２ａへの押圧手段４を前記把持部３ａに取り付けたものとしている。【選択図】        図２
2004324282.tif 000002
【特許請求の範囲】
【請求項１】
互いの縦枠（１ａ）を突き合わせて並べるようにしたフェンスバリケード（１）を、囲い枠（２）の横枠（２ａ）に固定する金具であって、前記横枠（２ａ）を跨ぐ把持部（３ａ）を有すると共に、前記フェンスバリケード（１）の縦枠（１ａ）に引っ掛けるようにした引掛部（３ｂ）を前記把持部（３ａ）の両端に連設し、さらに前記横枠（２ａ）への押圧手段（４）を前記把持部（３ａ）に取り付けたことを特徴とするフェンスバリケードの取付金具。
【請求項２】
前記引掛部（３ｂ）をフェンスバリケード（１）の縦枠（１ａ）に引っ掛かるように鉤状に形成したことを特徴とする請求項１記載のフェンスバリケードの取付金具。
【請求項３】
前記押圧手段（４）を止めボルトとし、把持部（３ａ）の中央部に前面側からねじ込むようにしたことを特徴とする請求項１記載のフェンスバリケードの取付金具。
【発明の詳細な説明】
【０００１】
【発明の属する技術分野】
この発明は、例えば建設現場や資材置場等を包囲した仮設用の囲い枠にフェンスバリケードを取り付けるための金具に関するものである。
【０００２】
【従来の技術】
建設現場や資材置場等は、建設に着手する前や、資材が搬入されていない間は、関係者以外の出入りを防いだりするためにフェンスバリケードで包囲しておくことがある。
【０００３】
従来、前記建設現場や資材置場等をフェンスバリケードで包囲するには、番線（針金）を使用していた。すなわち、建設現場や資材置場等を包囲した仮設用の囲い枠に沿わせてフェンスバリケードを並べて行き、その囲い枠とフェンスバリケードの縦枠、横枠またはネットを番線で直接、緊締することにより行っていた。
【０００４】
また、前記建設現場や資材置場等をフェンスバリケードで包囲するには、それ専用の固定取付治具を使用していた。この固定取付治具１１は、図８に示したように、上部治具１２の一端部１２Ａと下部治具１３の一端部１３Ａとをヒンジ１５によって連結しており、これにより、上部治具１２の他端部１２Ｂと下部治具１３の他端部１３Ｂとの間の開閉が自由となっている。そして、前記固定取付治具１１は、図９に示したように、第１空間１４Ａに支持パイプＰ１を収容し、第２空間１４Ｂにパイプ部材Ｐ２を収容した状態で治具本体１４を閉じ、治具本体１４に固定ねじ１６を通し、ねじ１６Ａに蝶ナット１６Ｂを螺着して締め付けることにより上部治具１２と下部治具１３を相互に締め付け、支持パイプＰ１とパイプ部材Ｐ２とを固定取付面２１、３１で同時に挟み付け、支持パイプＰ１とパイプ部材Ｐ２とを相互に固定している。これにより、図１０、１１に示したようにフェンスバリケードＦを支持パイプＰ１に固定して取付けていた（特許文献１参照）。
【０００５】
【特許文献１】
特開２００１−２０５３１号公報（第２頁、図１、２、４）
【０００６】
【発明が解決しようとする課題】
しかしながら、上記したように建設現場や資材置場等をフェンスバリケードで包囲する場合に番線を使用すると、仮設用の囲い枠とフェンスバリケードの縦枠、横枠またはネットに番線を巻き付けて止めなければならず、その取り付け作業に手間隙がかかるという課題を有していた。
【０００７】
さらに、フェンスバリケードを撤去する際、番線を取り外す場合には、番線の結び目を解いたり、番線を切断すればよいが、番線の結び目を解く作業は面倒であり、番線を切断するには切断用工具が必要であり、取り付け作業だけでなく、取り外し作業にも手間隙がかかるという課題を有していた。
【０００８】
また、上記したように建設現場や資材置場等をフェンスバリケードで包囲する場合にそれ専用の固定取付治具を使用すると、番線を使用した場合に比べ幾分、取り付け作業や取り外し作業が簡単になるものの、ヒンジ１５の開閉操作や、ねじ１６Ａと蝶ナット１６ｂの螺着操作を行わなければならず、依然として取り付け作業や取り外し作業に手間隙がかかるという課題を有していた。
【０００９】
そこで、この発明は、上記従来の課題を解決するものであり、囲い枠にフェンスバリケードを取り付ける場合は言うまでもなく、囲い枠からフェンスバリケードを撤去する際に取り外す場合にも、それらの作業が非常に簡単に行えるフェンスバリケードの取付金具を提供することを目的としてなされたものである。
【００１０】
【課題を解決するための手段】
そのため、この発明のフェンスバリケードの取付金具は、互いの縦枠１ａを突き合わせて並べるようにしたフェンスバリケード１を、囲い枠２の横枠２ａに取り付ける金具であって、前記囲い枠２の横枠２ａを跨ぐ把持部３ａを有すると共に、前記フェンスバリケード１の縦枠１ａに引っ掛けるようにした引掛部３ｂを前記把持部３ａの両端に連設し、さらに前記横枠２ａへの押圧手段４を前記把持部３ａに取り付けたものとしている。
【００１１】
そして、この発明のフェンスバリケードの取付金具は、前記引掛部３ｂをフェンスバリケード１の縦枠１ａに引っ掛かるように鉤状に形成したものとしている。
【００１２】
さらに、この発明のフェンスバリケードの取付金具は、前記押圧手段４を止めボルトとし、把持部３ａの中央部に前面側からねじ込むようにしている。
【００１３】
【発明の実施の形態】
以下、この発明のフェンスバリケードの取付金具を、実施の形態として示した図面に基づいて詳細に説明する。
【００１４】
この発明のフェンスバリケードの取付金具は、図１〜４に示したように、互いの縦枠１ａを突き合わせて並べるようにした複数のフェンスバリケード１を、例えば建設現場や資材置場等を包囲した仮設用の囲い枠２の横枠２ａに取り付けるものとしている。この取付金具３は、前記囲い枠２の横枠２ａを跨ぐ把持部３ａを有すると共に、前記フェンスバリケード１の縦枠１ａに引っ掛けるようにした引掛部３ｂを前記把持部３ａの両端に連設し、さらに前記横枠２ａへの押圧手段４を前記把持部３ａに取り付けたものとしている。
【００１５】
フェンスバリケード１は、例えば二本の縦枠１ａの間に上中下段三本とした横枠１ｂを連結することにより上下に四角枠を形成し、この四角枠内にネットＮを張り渡したものとしている。ここでいうネットＮとは、線材を網目に編んだもの以外に、金属板に多数のパンチングを施しネット状にしたものも含むものとしている。なお、前記横枠１ｂは、縦枠１ａの上下段のみに連結しても、中段に複数本を連結したものとしてもよい。
【００１６】
囲い枠２は、例えば上下段二本とした横枠２ａの間に適宜間隔をあけて複数本の縦枠２ｂを連結してなるものとしている。そして、この囲い枠２は、前記縦枠２ｂを支持部材（図示せず）により支えたり、コンクリート５で固めることにより、地面等に設置するようにしている。
【００１７】
取付金具３は、図５、６に示したものは金属板からなっており、図７に示したものは金属棒からなっており、前記したように把持部３ａの両端に引掛部３ｂを連設したものとしている。把持部３ａは、略Ｕ字形や略コ字形などに形成され、前記囲い枠２の横枠２ａを跨ぐようにしている。すなわち、前記囲い枠２の横枠２ａを円形パイプとした場合には、把持部３ａを略Ｕ字形にすると、この把持部３ａは横枠２ａの周囲に丁度、沿うものとすることができ、前記囲い枠２の横枠２ａを角形パイプとした場合には、把持部３ａを略コ字形にすると、この把持部３ａは横枠２ａの周囲に丁度、沿うものとすることができる。引掛部３ｂは、前記フェンスバリケード１の縦枠１ａに引っ掛かるように、図５に示したものは鉤状に切り欠いて形成したものとしており、図６、７に示したものは鉤状に折り曲げて形成したものとしている。
【００１８】
押圧手段４は、止めボルトなどとすることができ、把持部３ａの中央部に前面側からねじ込むようにしており、前記囲い枠２の横枠２ａこの止めボルトをねじ込んで押し付けることにより、その横枠２ａを押圧するようにしている。
【００１９】
以上のように構成したこの発明のフェンスバリケードの取付金具を用いて、例えば建設現場や資材置場等を包囲した仮設用の囲い枠にフェンスバリケードを取り付けるには、次のようにして行う。
【００２０】
先ず、図１に示したように、建設現場や資材置場等を包囲した仮設用の囲い枠２の横枠２ａに沿って、複数のフェンスバリケード１を互いの縦枠１ａを突き合わせるようにして並べる。そして、フェンスバリケード１の縦枠１ａと囲い枠２の横枠２ａが交差した位置において、図２〜４に示したように、取付金具３の把持部３ａで前記囲い枠２の横枠２ａを跨ぐようにして把持すると共に、取付金具３の引掛部３ｂをフェンスバリケード１の縦枠１ａに引っ掛ける。そして、取付金具３の押圧手段４である止めボルトをねじ込んで、前記横枠２ａを押圧すると、縦枠１ａに引っ掛けた引掛部３ｂがその引っ掛け状態を維持し、取付金具３は前記縦枠１ａと横枠２ａとを動かないように固定して、囲い枠２にフェンスバリケード１を取り付けることができる。
【００２１】
また、前記囲い枠２からフェンスバリケード１を撤去する場合には、取付金具３の押圧手段４である止めボルトを緩めれば、この止めボルトによる横枠２ａの押圧が解除され、縦枠１ａに引っ掛けた引掛部３ｂがその引っ掛け状態を維持できなくなり縦枠１ａから外れるので、囲い枠２の横枠２ａを跨ぐようにして把持していた把持部３ａをこの横枠２ａから引き抜けば取付金具３が外され、フェンスバリケード１も前記囲い枠２から取り外すことができる。
【００２２】
【発明の効果】
この発明のフェンスバリケードの取付金具は、以上に述べたように構成されているので、囲い枠にフェンスバリケードを取り付ける場合は言うまでもなく、囲い枠からフェンスバリケードを撤去する際に取り外す場合にも、それらの作業が非常に簡単に行えるものとなった。
【図面の簡単な説明】
【図１】この発明の取付金具を使用してフェンスバリケードを囲い枠に取り付けた状態を示す説明図である。
【図２】この発明の取付金具を使用してフェンスバリケードを囲い枠に取り付けた状態を示す拡大斜視図である。
【図３】この発明の取付金具を使用してフェンスバリケードを囲い枠に取り付けた状態を示す拡大正面図である。
【図４】この発明の取付金具を使用してフェンスバリケードを囲い枠に取り付けた状態を示す図３中のＡ−Ａ線による断面図である。
【図５】この発明の取付金具の一実施形態を示す斜視図である。
【図６】この発明の取付金具の他の実施形態を示す斜視図である。
【図７】この発明の取付金具のさらに他の実施形態を示す斜視図である。
【図８】従来の取付金具の一例を示す斜視図である。
【図９】従来の取付金具の使用状態を示す説明図である。
【図１０】従来の取付金具を使用して取り付けられたフェンスバリケードの様子を示す側面図である。
【図１１】従来の取付金具を使用して取り付けられたフェンスバリケードの様子を示す立面図である。
【符号の説明】
１  フェンスバリケード
１ａ  縦枠
２  囲い枠
２ａ  横枠
３ａ  把持部
３ｂ  引掛部
４  押圧手段
【図１】
2004324282.tif 000003
【図２】
2004324282.tif 000004
【図３】
2004324282.tif 000005
【図４】
2004324282.tif 000006
【図５】
2004324282.tif 000007
【図６】
2004324282.tif 000008
【図７】
2004324282.tif 000009
【図８】
2004324282.tif 000010
【図９】
2004324282.tif 000011
【図１０】
2004324282.tif 000012
【図１１】
2004324282.tif 000013